(57)【要約】【課題】生け簀としても使用可能であり、釣人が釣れた魚を簡単に収容することができ、しかも迅速に排水し得る釣用バッグの提供。【解決手段】この釣用バッグ１０は、容器状のバッグ本体１１と、これに設けられた内蓋１３とを有する。内蓋１３は、メッシュ生地からなる。内蓋１３にＵ字状の切込部４６が設けられている。この切込部４６を開閉するファスナー４７が設けられている。内蓋１３は、コア部材に樹脂又はゴムが被服されることにより構成されている。内蓋１３のコア部材は、綿糸が採用される。バッグ本体１１は、シート状の合成樹脂からなる。【選択図】図２
2007312654.tif 000002
【特許請求の範囲】
【請求項１】
上面に開口を有する容器状のバッグ本体と、
バッグ本体の開口を開閉するメッシュ生地からなる開閉蓋と、
開閉蓋に設けられ、所定の曲線に沿って切り込まれた切込部と、
切込部を開閉するファスナーとを備えた釣用バッグ。
【請求項２】
上記切込部は、Ｕ字状に形成されている請求項１に記載の釣用バッグ。
【請求項３】
上記バッグ本体は、シート状の合成樹脂からなる請求項１又は２に記載の釣用バッグ。
【請求項４】
上記開閉蓋は、格子状に編まれたシート状コア部材に樹脂又はゴムが被服されたものからなる請求項１から３のいずれかに記載の釣用バッグ。
【発明の詳細な説明】
【技術分野】
【０００１】
本発明は、魚釣りの際に使用される釣用バッグの構造に関するものである。
【背景技術】
【０００２】
例えば磯釣りにおいては、釣人は、渡礁の際に釣れた魚を保存するためのクーラーボックスを携行する場合がある。ところが、一般に、保冷機能に優れたクーラーボックスの重量は重く、そのため、クーラーボックスを磯に持ち込むことは、釣人にとって大きな負担となっていた。また、通常、クーラーボックスには氷が内蔵され、釣れた魚は、直ちに血抜きされ、クーラーボックスに収容保存される。しかし、釣人が釣れた魚を持ち帰る場合には、魚をできる限り生かしておくことが、魚の鮮度が保たれるうえで重要である。つまり、釣れた魚は、直ちに血抜きされるよりも、釣りが終了するまで生かされるべきである。
【０００３】
そのため、クーラーボックスには氷の代わりに海水が入れられ、釣人は、クーラーボックスを生け簀として使用し、釣れた魚をこのクーラーボックス内で生かしておくこともできる。ところが、クーラーボックスが生け簀として使用されるだけであれば、そもそも釣人は、渡礁の際にクーラーボックスに代えて軽量のバッカン等の釣用バッグを携行すべきである。バッカン等が生け簀として使用される場合には、釣人は、これに海水と共に魚を入れることにより、釣りが終了するまで魚を生かしておくことができ、例えば、帰港の際にバッカン等から排水し、その場で魚の血抜きをすることができる。蓋を閉めたまま水抜きが可能なバッカンが従来から提供されている（特許文献１参照）。
【０００４】
【特許文献１】特開２００５−３０４３０１号公報
【発明の開示】
【発明が解決しようとする課題】
【０００５】
軽量の釣用バッグが生け簀として使用される場合には、釣れた魚は、直ちに収容されるべきであり、また、所要時には迅速に排水可能な構造を備えているべきである。そこで、本発明の目的は、生け簀としても使用可能であり、釣人が簡単に釣れた魚を収容することができ、しかも迅速に排水し得る釣用バッグを提供することである。
【課題を解決するための手段】
【０００６】
(1) 上記目的が達成されるため、本発明に係る釣用バッグは、上面に開口を有する容器状のバッグ本体と、バッグ本体の開口を開閉するメッシュ生地からなる開閉蓋と、開閉蓋に設けられ、所定の曲線に沿って切り込まれた切込部と、切込部を開閉するファスナーとを備えている。
【０００７】
開閉蓋が閉じられることによって、バッグ本体の開口が閉塞される。バッグ本体に予め海水が収容されることによって、釣れた魚が当該バッグ本体から逃げることなく当該バッグ本体内で生かされる。この開閉蓋はメッシュ生地からなるので、開閉蓋が閉じられた状態であっても、バッグ本体が傾けられることによって容易に排水される。
【０００８】
開閉蓋には所定の曲線に沿って切り込まれた切込部が設けられているから、釣人は、上記ファスナーを開けることによって、上記曲線に沿って開かれた切込部から容易に魚を投入することができる。換言すれば、仮に上記切込部が直線に沿って形成されているとすれば、開閉蓋が閉じられた状態では上記切込部が開きにくく、したがって、釣人は、釣れた魚を迅速にバッグ本体に収容することが困難な場合もある。しかし、本発明では、上記切込部が曲線状に形成されていることから、上記ファスナーが開かれると、上記切込部によって魚を投入し易い形状の開口が形成される。したがって、釣人は、上記曲線に沿って開かれた切込部から容易に魚を投入することができる。
【０００９】
(2) 上記切込部は、Ｕ字状に形成されているのが好ましい。
【００１０】
これにより、上記開閉蓋には上記ファスナーを介して開閉されるＵ字状の扉が形成される。したがって、例えば釣人が魚を把持したままで当該扉を押圧すると当該扉が開かれ、当該魚が容易にバッグ本体内に投入される。さらに、この開閉蓋が可撓性に優れる場合には、上記ファスナーが開かれると同時に上記扉が開かれる。これにより、釣人は、一層簡単に魚をバッグ本体内に投入することができる。なお、上記切込部は、魚が円滑に投入されるために開口されるならば、その形状は、Ｕ字状のほかＳ字状、Ｃ字状、Ｉ字状、Ｊ字状、Ｌ字状、Ｍ字状、Ｎ字状、Ｔ字状、Ｖ字状、Ｗ字状、Ｙ字状又はＺ字状その他の曲線状に形成され得る。
【００１１】
(3) 上記バッグ本体は、シート状の合成樹脂からなるのが好ましい。
【００１２】
この構成では、バッグ本体がきわめて軽量で防水性に優れると共に、安価に構成されるという利点がある。
【００１３】
(4) 上記開閉蓋は、格子状に編まれたシート状コア部材に樹脂又はゴムが被服されたものからなるのが好ましい。
【００１４】
この構成では、開閉蓋がきわめて可撓性に富み、したがって、上記ファスナーが開かれたときは、上記切込部が容易に開かれる。これにより、釣人は、釣れた魚を上記切込部から一層簡単にバッグ本体内に投入することができる。
【発明の効果】
【００１５】
本発明によれば、釣人は、釣れた魚を開閉蓋の切込部を通してバッグ本体に容易に投入することができるから、磯においてこの釣用バッグを生け簀として使用することができる。しかも、開閉蓋はメッシュ生地からなるので、釣人は、帰港時に釣用バッグを傾けるだけで、開閉蓋を通して迅速に排水することができる。
【発明を実施するための最良の形態】
【００１６】
以下、適宜図面が参照されつつ、好ましい実施形態に基づいて本発明が詳細に説明される。
【００１７】
図１は、本発明の一実施形態に係る釣用バッグの斜視図である。この釣用バッグ１０は、バッグ本体１１を備えている。このバッグ本体１１は、上方が開口された直方体容器状に形成されており、このバッグ本体１１に外蓋１２が設けられている。
【００１８】
図２は、上記外蓋１２が開放された状態における釣用バッグ１０の斜視図である。同図が示すように、バッグ本体１１に内蓋１３（開閉蓋）が設けられている。さらに、図３は、この内蓋１３が開放された状態における釣用バッグ１０の斜視図である。
【００１９】
釣用バッグ１０は、例えば磯釣りの際に使用され、釣用リール、浮子、錘その他の釣道具のほか釣餌等が収容される。また、この釣用バッグ１０は、後述の材料から構成されており、釣れた魚を生かしておくための生け簀としても機能する。本実施形態に係る釣用バッグ１０の特徴とするところは、上記内蓋１３の構造であり、内蓋１３が後述される曲線状の切込部４６を有することにより、釣用バッグ１０は、釣れた魚が容易に収容される使い勝手に優れた生け簀として使用され得るようになっている。以下、釣用バッグ１０の構造について詳述される。
【００２０】
図１ないし図３が示すように、釣用バッグ１０は、上記バッグ本体１１と、外蓋１２と、内蓋１３とを備えている。
【００２１】
バッグ本体１１は、矩形の底面部１４と、この底面部１４の周縁に立設された側壁部１５とを備えており、上面に矩形の開口１７が形成されている。この開口１７が矩形に形成されることにより、バッグ本体１１の剛性が向上し、釣用バッグ１０の使い勝手が向上する。これら底面部１４及び側壁部１５は、シート状の合成樹脂から構成されている。合成樹脂としては、例えば、エチレン酢酸ビニル共重合体（ＥＶＡ）が好適に採用される。底面部１４の肉厚寸法は、０．７５ｍｍ〜２．０ｍｍ程度に設定され、側壁部１５の肉厚寸法も、０．７５ｍｍ〜２．０ｍｍ程度に設定され得る。側壁部１５は、シート状の合成樹脂が筒状に形成され、その下端部が上記底面部１４の周縁部に溶着されることによって形成されている。
【００２２】
図４は、図１におけるIV−IV断面図である。同図は、バッグ本体１１の上部の構造並びに外蓋１２及び内蓋１３の取付構造を示している。
【００２３】
同図が示すように、上記側壁部１５の上端部１６は、バッグ本体１１の外側に折り返されており、所定位置１８において当該側壁部１５に溶着されている。この上端部１６は、バッグ本体１１の周囲全体にわたって連続して溶着されていてもよいし、間欠的に溶着されていてもよい。また、本実施形態では、上記側壁部１５の上端部１６は、芯材１９に巻き掛けられている。この芯材１９は、環状に形成されており、上記開口１７の周縁部に沿って配置されている。換言すれば、この芯材１９が上記開口１７を区画している。芯材１９は、例えばステンレススチールから構成され得る。この芯材１９が設けられることにより、バッグ本体１１の開口１７の周縁部の剛性が向上し、その結果、バッグ本体１１が生け簀として、また、釣道具の収容容器として一層使い易いものとなる。
【００２４】
図１が示すように、バッグ本体１１は把手２２、２３を備えている。この把手２２、２３は、バッグ本体１１の対向する一対の側面２４に設けられている。把手２２は、取付ステー２５を介してバッグ本体１１の側面２４に取り付けられている。
【００２５】
図５は、この取付ステー２５の拡大斜視図である。同図では、バッグ本体１１の一方の側面２４に設けられた取付ステー２５が図示されているが、他方の側面２４に設けられた取付ステー２５も同様の形状である。
【００２６】
図１及び図５が示すように、取付ステー２５は、バッグ本体１１の側面２４に固定されるベース部３０と、このベース部３０の中央部に形成されたブリッジ部３１と、このブリッジ部３１の両側方にそれぞれ形成された軸受部３２とを備えている。ただし、この取付ステー２５は、上記側面２４にバッグ本体１１と一体的に形成されるのが好ましい。この取付ステー２５は、合成樹脂からなり、例えば射出成型されることによって構成されている。取付ステー２５は、バッグ本体１１と同様にシート状の合成樹脂から構成されている。この合成樹脂としては、例えば、エチレン酢酸ビニル共重合体（ＥＶＡ）が好適に採用される。
【００２７】
上記ベース部３０は、横長矩形の平板状に形成されている。ブリッジ部３１は、扁平したＵ字状に形成されており、ベース部３０から外方に突出している。このため、ブリッジ部３１とベース部３０との間に所定の空間が形成されている。釣人は、このブリッジ部３１にタオルやコマセカッター等を引っ掛けることができる。また、軸受部３２は、リング状に形成されており、上記ブリッジ部３１の両側方に突設されている。これら軸受部３２は、後述される把手２２の軸４１（図６参照）を回動自在に支持する。
【００２８】
軸受部３２の下方に、当該軸受部３２に連続するようにしてベース部３０に切欠３３が設けられている。この切欠３３が設けられることにより、軸受部３２の下側部分がベース部３０から離れるように変形することができる。軸受部３２の下側部分がベース部３０から離れるように変形した状態で、上記把手２２の軸４１が軸受部３２に嵌め込まれるようになっている。このようにして上記軸４１が軸受部３２に嵌め込まれた後、この軸受部３２がバッグ本体１１に溶着される。これにより、把手２２は、取付ステー２５に対して回動自在な状態で取り付けられる。
【００２９】
図６は、上記把手２２の斜視図である。
【００３０】
同図が示すように、この把手２２は全体として略Ｕ字状を呈している。この把手２２は、上記取付ステー２５と同様に合成樹脂からなり、例えば射出成形されることによって構成されている。この合成樹脂としては、例えば、エチレン酢酸ビニル共重合体（ＥＶＡ）が好適に採用される。把手２２の両端部４０は平板状に形成されている。これら各端部４０の先端に、それぞれ、上記軸４１が形成されている。また、把手２２の中央部４３は丸棒状に形成されており、釣人は、この中央部４３を把持して容易に釣用バッグ１０を持ち運びすることができる。
【００３１】
把手２２の各端部４０の先端は、それぞれ、フォーク状に形成されており、上記各軸４１は、各端部４０の先端同士を連結して上記中央部４３と略平行に延びている。換言すれば、上記各端部４０の先端は、それぞれ、肉抜きされた空間４４を有し、上記各軸４１は、この空間４４に架け渡すように配置されている。この空間４４が形成されることにより、各軸４１が上記軸受部３２に容易に嵌め込まれる。また、上記各端部４０は、所定部位４５において屈曲されている。このように各端部４０が屈曲されていることにより、図１が示すように、把手２２が上方へ回動起立された状態で上記中央部４３が釣用バッグ１０の上方中央に配置されることになる。
【００３２】
把手２２は、バッグ本体１１の一方の側面２４に設けられたものであるが、把手２３は、バッグ本体１１の他方の側面２４に設けられている。把手２３は、把手２２と同様の構成であるから、その説明は省略される。
【００３３】
図１及び図２が示すように、外蓋１２は、バッグ本体１１の上端に開閉自在に取り付けられている。この外蓋１２は、上記バッグ本体１１と同様にシート状の合成樹脂から構成されている。この合成樹脂としては、例えば、エチレン酢酸ビニル共重合体（ＥＶＡ）が好適に採用される。この外蓋１２が閉じられたときは、当該外蓋１２は、バッグ本体１１の上記開口１７を閉塞する（図１及び図４参照）。また、図２が示すように外蓋１２が開かれたときは、上記開口１７が露出する。
【００３４】
本実施形態では、この外蓋１２は、トレー状に形成されている。具体的には、外蓋１２は、平板部２０とスカート２１とを備えている。平板部２０は矩形に形成されており、その外形形状は、上記開口１７の周縁形状とほぼ同様である。本実施形態では、図１が示すように、上記平板部２０の上面にメジャー４９が表示されている。釣人は、このメジャー４９を利用して、釣れた魚のサイズを直ちに計ることができる。これにより、所定サイズ以上の魚の釣果を競う競技会等では、この釣用バッグ１０は、釣人にとって一層便利なものとなる。
【００３５】
上記スカート２１は、上記平板部２０と一体的に形成されている。スカート２１は、上記平板部２０の周縁に連続し、外側に広がるように形成されている。したがって、外蓋１２が閉じられたときは、このスカート２１の内面が上記開口１７の周縁部の外側に当接し（図４参照）、当該開口１７及びその周縁部の外側がスカート２１によって囲繞されるようになっている。
【００３６】
また、図４が示すように、このスカート２１の所定位置に貫通孔２７が設けられている。この貫通孔２７にパイプ挿通環２６が嵌め込まれている。この貫通孔２７は、典型的にはエアポンプ用チューブ５０が挿通され得る。例えば、この釣用バッグ１０が釣れた魚を生かしておく生け簀として使用される場合には、生け簀内に空気を供給するエアポンプが使用される場合がある。その場合に、空気を供給するためのチューブが上記パイプ挿通環２６を介して貫通孔２７に挿通され、バッグ本体１１内に導かれる。上記貫通孔２７がスカート２１に設けられることにより、上記エアポンプ用チューブ５０が屈曲等することなく、滑らかに湾曲してバッグ本体１１内に導かれる。なお、上記パイプ挿通環２６は、省略されていてもよい。
【００３７】
図１及び図２が示すように、外蓋１２は、ファスナー２８を介してバッグ本体１１に縫い付けられている。図４が示すように、このファスナー２８は、バッグ本体１１の側壁部１５の上端部１６の最縁部２９と、外蓋１２のスカート２１の周縁部５１との間に架け渡すように縫い付けられている。すなわち、このファスナー２８の一方側は、上記上端部１６の溶着位置（上記所定位置１８）よりも下方に縫い付けられており、他方側が上記スカート２１の周縁部５１に縫い付けられている。そして、スライダ３４が操作されることによりファスナー２８が開閉され、外蓋１２が開閉されるようになっている。
【００３８】
図７は、図２の要部拡大斜視図であって、内蓋１３の取付構造が詳細に示されている。また、図８は、図７におけるVIII−VIII断面図である。
【００３９】
これらの図が示すように、内蓋１３は、バッグ本体１１の開口１７の周縁部の内側に配置されており、バッグ本体１１に対して開閉自在に取り付けられている。この内蓋１３は、ファスナー３５を介してバッグ本体１１に縫い付けられている。内蓋１３は、シート状に形成されており、メッシュ生地からなる。具体的には、内蓋１３は、格子状に編まれたコア部材（典型的には綿糸やナイロン糸）に、ポリ塩化ビニル（ＰＶＣ）等の樹脂やラバー等がコーティングされたものからなり、きわめて可撓性に富む。図４が示すように、ファスナー３５は、内蓋１３の縁部３６と、バッグ本体１１の側壁部１５との間に架け渡すように縫い付けられている。すなわち、このファスナー３５の一方側は、上記上端部１６の溶着位置（上記所定位置１８）よりも上方に縫い付けられており、他方側が上記内蓋１３の縁部３６に縫い付けられている。そして、スライダ３７が操作されることにより、図７が示すようにファスナー３５が開閉され、内蓋１３が開閉されるようになっている。
【００４０】
図４及び図７が示すように、内蓋１３の隅部に貫通孔３８が設けられている。この貫通孔３８にパイプ挿通環３９が嵌め込まれている。この貫通孔３８は、上記エアポンプ用チューブ５０が挿通され得る。この貫通孔３８が内蓋１３に設けられることにより、上記外蓋１２を貫通したエアポンプ用チューブ５０がバッグ本体１１内に容易に且つ屈曲することなく滑らかに導かれる。なお、この貫通孔３８及びパイプ挿通環３９は、省略されていてもよい。
【００４１】
内蓋１３は、上記開口１７の形状に対応した形状に形成されている。すなわち、本実施形態では、内蓋１３は矩形に形成されており、図７が示すように閉じられた状態で上記開口１７を閉塞するようになっている。そして、内蓋１３は、Ｕ字状に延びる切込部４６を備えており、この切込部４６にファスナー４７が設けられている。この切込部４６は、図７及び図８が示すように、内蓋１３の対角線方向に延びる腕部５２、５３と、これらを滑らかに連続する腰部５４とを有する。上記ファスナー４７は、この切込部４６を開閉するように取り付けられており、スライダ４８が操作されることによって切込部４６が開閉されるようになっている。
【００４２】
本実施形態に係る釣用バッグ１０は、次のようにして使用される。
【００４３】
この釣用バッグ１０は、前述のように釣道具等の収容庫として使用されるほか、実釣時において釣れた魚を生かしておく生け簀としても使用される。釣人は、バッグ本体１１に予め海水を入れておくことができる。釣れた魚は、海水が収容されたバッグ本体１１内に投入される。図２が示すように、内蓋１３がファスナー３５を介して閉められることにより、バッグ本体１１の開口１７が閉じられ、これにより、釣れた魚は、バッグ本体１１から逃げることなく当該バッグ本体１１内で生かされる。釣人は、釣りが終了するまで適宜海水を入れ換えることにより、釣りが終了するまで魚を生かしておくことができる。このとき、内蓋１３はメッシュ生地からなるので、内蓋１３が閉じられた状態でも海水を注ぎ足すことができる。一方、内蓋１３がメッシュ生地からなるので、内蓋１３がが閉じられた状態であっても、釣人は、外蓋１２を開けてバッグ本体１１を傾けることによって簡単に排水することができる。
【００４４】
図７が示すように、内蓋１３にはＵ字状に切り込まれた切込部４６が設けられているから、釣人は、ファスナー４７を開けることによって切込部４６から容易に魚を投入することができる。詳述すれば、ファスナー３５が閉められて内蓋１３が閉じられた状態では、この内蓋１３に張力が作用する。このため、仮に切込部４６が直線状に形成されているとすれば、ファスナー４７が開けられた状態であっても切込部４６が変形しにくい。したがって、釣人は、魚を切込部４６から投入する際には、魚を把持しながら切込部４６を手で押し広げる必要があり、容易に魚をバッグ本体１１に投入することができない。これに対して本実施形態に係る釣用バッグ１０では、前述のように、ファスナー４７が開けられることによって切込部４６も容易に変形して開くから、釣人は、簡単に魚をバッグ本体１１に投入することができる。
【００４５】
このように、本実施形態に係る釣用バッグ１０は、釣れた魚を生かす生け簀として機能するから、釣人は、クーラーボックスを磯に持ち込む必要がなく、渡礁が容易になる。しかも、釣人は、帰港時に内蓋１３を閉めたまま迅速に排水することができるので、釣れた魚の血抜き等の作業を迅速に行うことができる。
【００４６】
本実施形態に係る釣用バッグ１０では、内蓋１３に設けられた切込部４６がＵ字状に形成されているので、この内蓋１３にはファスナー４７を介して開閉されるＵ字状の扉が形成されることになる。つまり、図７及び図８において、ファスナー４７によって区画されるＵ字状の部分のうち内側に相当する扉部分５５がフラップ状に変位する。したがって、例えば釣人が魚を把持したままでこの扉部分５５を押圧すると、当該扉部分５５が下方に垂れ下がるように開かれる。これにより、釣人は、容易に魚をバッグ本体１１内に投入することができる。
【００４７】
特に、本実施形態では、上記内蓋１３は前述の構造を有することから、きわめて可撓性に富むので、ファスナー４７が開かれると同時に扉部分５５が開かれる。これにより、釣人は、一層簡単に魚をバッグ本体１１内に投入することができる。さらに、釣人は、きわめて簡単に魚をバッグ本体１１内に収容することができることから、例えば、所定時間内における釣果を競う競技会等では、この釣用バッグ１０は、釣人にとってきわめて便利なものである。
【００４８】
本実施形態では、上記切込部４６がＵ字状に形成されているが、切込部４６の形状は、Ｕ字状に限定されるものではなく、例えば、Ｓ字状、Ｃ字状、Ｉ字状、Ｊ字状、Ｌ字状、Ｍ字状、Ｎ字状、Ｔ字状、Ｖ字状、Ｗ字状、Ｙ字状又はＺ字状その他の曲線状に形成され得る。要するに、切込部４６は、魚が円滑に投入されるための開口を形成する形状であればよい。
【００４９】
また、本実施形態では、前述のように、バッグ本体１１がシート状の合成樹脂から構成されるので、バッグ本体１１がきわめて軽量で防水性に優れるという利点がある。しかも、バッグ本体１１が安価に構成され、釣用バッグ１０の製造コストの大幅な上昇も抑えられるという利点がある。
【００５０】
加えて、この釣用バッグ１０は、次のような作用効果を奏する。
【００５１】
バッグ本体１１の側壁部１５の上端部１６は、図４が示すように外側に折り返された後に当該側壁部１５に溶着されているから、この側壁部１５の高い防水性が達成される。しかも、内蓋１３をバッグ本体１１に取り付けているファスナー３５は、上記側壁部１５の上端部１６が溶着された位置よりも上方位置、すなわち、上記側壁部１５の上端部１６が折り返された部位に近い位置に縫い付けられている。そのため、このファスナー３５が縫い付けられた部位は、上記側壁部１５の上端部１６によって外側から覆われることになる。したがって、釣用バッグ１０が釣道具等の収容庫として使用される場合に、上記ファスナー３５が縫い付けられた部位からの浸水が確実に防止される。さらに、上記側壁部１５の先端部１６が前述のように外側に折り返されていることから、バッグ本体１１の内面が滑らかに形成されるという利点もある。
【００５２】
また、上記外蓋１２は、上記側壁部１５の上端部１６の最縁部２９に縫い付けられているから、この外蓋１２が閉じられたときは、上記側壁部１５の上端部１６が外側から覆われることになる。したがって、バッグ本体１１の開口１７も外蓋１２によって確実に囲繞され、バッグ本体１１への浸水が効果的に防止され得る。しかも、この外蓋１２が閉じられたときは、上記ファスナー２８も閉じられるから、バッグ本体１１への浸水が一層確実に防止される。特に、この外蓋１２は、上記スカート２１を備えており、トレー状に形成されていることから、この外蓋１２が閉じられたときは、バッグ本体１１の開口１７及びその周縁部の外側が当該外蓋１２によって囲繞される。その結果、外部からバッグ本体１１内への浸水がなお一層確実に防止されるという利点がある。
【００５３】
なお、上記ファスナー３５が上記側壁部１５の上端部１６が溶着された位置よりも上方位置に縫い付けられていることから、仮にバッグ本体１１が海水を収容したまま輸送されたとしても、バッグ本体１１の内部から容易に海水が外部に漏れ出ることはない。
【産業上の利用可能性】
【００５４】
本発明は、魚釣りに使用される釣用バッグに適用され得る。
【図面の簡単な説明】
【００５５】
【図１】図１は、本発明の一実施形態に係る釣用バッグの斜視図である。
【図２】図２は、本発明の一実施形態に係る釣用バッグの外蓋が開放された状態における斜視図である。
【図３】図３は、本発明の一実施形態に係る釣用バッグの内蓋が開放された状態における斜視図である。
【図４】図４は、図１におけるIV−IV断面図である。
【図５】図５は、本発明の一実施形態に係る釣用バッグの取付ステーの拡大斜視図である。
【図６】図６は、本発明の一実施形態に係る釣用バッグの把手の斜視図である。
【図７】図７は、図２における要部拡大斜視図である。
【図８】図８は、図７におけるVIII−VIII断面図である。
【符号の説明】
【００５６】
１０・・・釣用バッグ
１１・・・バッグ本体
１３・・・内蓋
１７・・・開口
４６・・・切込部
４７・・・ファスナー
【図１】
2007312654.tif 000003
【図２】
2007312654.tif 000004
【図３】
2007312654.tif 000005
【図４】
2007312654.tif 000006
【図５】
2007312654.tif 000007
【図６】
2007312654.tif 000008
【図７】
2007312654.tif 000009
【図８】
2007312654.tif 000010